(57)【要約】【課題】引き戸の扉正面の目立つ位置に穴をあけなくても引き戸の閉じる方向の調整速度を変えることができることができる引き戸クローザを提供する。【解決手段】ぜんまいプーリ５８の側面に対向させてぜんまいシャフトに一体的に取り付けられた第１平歯車９１と、第１平歯車９１と噛み合う第２平歯車９２と、第２平歯車９２に一体的に取り付けられたウォームホイル９３と、ウォームホイル９３と噛み合うウォーム歯車９４と、ウォーム歯車９４に一端で嵌合して他端が引き戸の端部まで延び当該他端を回動させることでウォーム歯車９４を回動可能とする長尺部材（ウォームガイド）９５とを備えるようにした。【選択図】図２
2010013856.tif 000002
【特許請求の範囲】
【請求項１】
上面にワイヤー出口を透設されたケースと、前記ケース内に設けられて前記ワイヤー出口近傍の側面に取付けられかつダンパーユニット巻胴部をその支軸に回動可能なように軸着するダンパーユニットと、前記ケース内に設けられて前記ケースの両面に貫通した穴に回転可能なように差し込まれたシャフトにぜんまいユニット巻胴部を回動可能なように軸着するぜんまいユニットと、前記ぜんまいユニット巻胴部にその一方端部を係止しかつ引き戸を全開するに足る長さを前記ぜんまいユニット巻胴部の外周面に沿って巻回しながら前記ダンパーユニット巻胴部の外周上に沿って巻回して、その他方端部を前記ワイヤー出口から導出されるワイヤーと、を具備してなり、前記ダンパーユニットと前記ぜんまいユニットが前記ワイヤーを介して互いに独立して回動可能なように軸支されると共に前記ぜんまいユニットのプーリ幅をワイヤーが１段整列できる幅にして、かつ、ロックピンを前記ぜんまいケースの幅の中に納め、前記ケース側に受けボチを複数箇所設け、常時１ないし複数箇所の受けボチで前記ロックピンを受けるようにした内蔵タイプ引き戸用クローザにおいて、
前記ぜんまいプーリの側面に対向させてぜんまいシャフトに一体的に取り付けられた第１平歯車と、前記第１平歯車と噛み合う第２平歯車と、前記第２平歯車に一体的に取り付けられたウォームホイルと、前記ウォームホイルと噛み合うウォーム歯車と、前記ウォーム歯車に一端で嵌合して他端が引き戸の端部まで延び当該他端を回動させることで前記前記ウォーム歯車を回動可能とする長尺部材と、を備えたことを特徴とする内蔵タイプ引き戸用クローザ。
【請求項２】
前記引き戸にショックアブソーバを取り付け、前記引き戸の閉まり際の数〜数十センチ内で前記ショックアブソーバのピストンロッド先端が引き戸枠側に接触して前記引き戸にダンピング抵抗が発生するようしたことを特徴とする請求項１の引き戸用クローザ。
【請求項３】
前記引き戸用クローザに内蔵される前記ダンパーユニットのプーリに歯車を配設し、引き戸枠側にラックを配設し、前記引き戸の閉まり際の数〜数十センチ内で前記プーリの歯車が前記ラックと噛み合うことで閉まり際がゆっくりと閉まるようにするとともに、前記ラックの少なくとも噛み合い端部を弾性部材で構成したことを特徴とする請求項１の引き戸用クローザ。
【請求項４】
前記引き戸用クローザに内蔵される前記ダンパーユニットのプーリに歯車を配設すると共に前記引き戸用クローザにプーリを新設し、引き戸枠側にラックを配設し、前記引き戸の移動幅の長さに亘って前記プーリの歯車が前記ラックと噛み合うようにし、ワイヤーが前記新設プーリを介して引き戸側に固定されていることを特徴とする請求項３の引き戸用クローザ。
【発明の詳細な説明】
【技術分野】
【０００１】
本発明は、建物側の戸枠等に対してスライド可能に設置した引き戸に取付けて、開放後の引き戸をぜんまいの弾性復帰力を利用してワイヤーで牽引して引き戸を自動的に閉鎖させる（以下、自閉させる）引き戸クローザに関する。
【背景技術】
【０００２】
従来、この種の引き戸クローザとしては、例えば特許文献１に記載のものが知られている。即ち、これは、本願図面の図１５に示すように、ブラケット１０１にロータリーダンパー１０２とぜんまいケース１０３とが並設されるとともに、回転自在のぜんまいケース１０３にワイヤーリール１０４が設けられている。また、ワイヤーリール１０４には、ワイヤー１０５が巻回されるとともに、メインギア１０６が設けられており、かつ、ロータリーダンパー１０７にもギア１０８が設けられて、両ギアが噛み合うように配置されている。さらに、ぜんまいケース１０３のぜんまい内部を固定した調整軸１０９がブラケット１０１に回動可能に設けられているとともに、調整軸１０９が調整板１１０を介してブラケット１０１にビス止め１１１された構成のものである。なお、図１５において、符号１１２はアイドルギアを示す。
【０００３】
また、引き戸クローザには、これ以外に、例えば、本願図面の図１６に示すように、ダンパユニット２０１と、ぜんまいユニット２０２と、このぜんまいユニット２０２に当接可能なようにストッパ手段２０３と、各ワイヤー巻き乱れ防止手段２０４と、ワイヤー２０５とを具備したものが知られている。この引き戸クローザは、ダンパユニット２０１のダンピング機能を適正に選択し、設定することで、引き戸２０６の過度の閉止慣性力で手を挟んだり、過度のダンピング機能の付与による引き戸２０６の閉止に過大な外力を要する不具合を解消できるようになっている。なお、図中符号２０７は引き戸クローザのケーシング、２０８はベースブラケット、２０９はぜんまい、２１０は引き戸枠体、２１１は支軸、２１２はオイルダンパを示す。さらに、符号Ａは開扉方向、Ｂは閉扉方向を示す。
【特許文献１】特開２０００−１３０００４号公報（図２）
【特許文献２】実用新案登録第３１０１７４３号公報（図３）
【０００４】
しかしながら、例えば、特許文献１に記載の引き戸クローザにあっては、噛み合うギア比が適当となるように各ギアの歯数を選択することで、閉扉速度の調整を可能とするような構成となっているが、ギアを３段に設置するなど構造が複雑であるとともに、引き戸の内部に埋設可能とするような薄型化を図るための工夫がなされてない。
また、特許文献２に記載の引き戸クローザについても、クローザ自体を引き戸の一面に対して垂直方向に起立させた状態で設置させており、引き戸の厚さ方向に大きく突出していたため、薄くできなかった。
【０００５】
そこで、上記事情に鑑みて、簡単な構成で、かつ、引き戸内部に収容可能な薄型化を図ることができる引き戸クローザを先行発明として本出願人は先に出願した（特願２００６−３３１０２６）。
以下、本願に係る先行発明（以下、「先行発明」という）について、簡単に説明する。
図１７及び図１８は、先行発明の第１の実施形態に係る引き戸クローザ（以下、「クローザ」と略す）２を取付けた引き戸１を示すものであり、この引き戸１には、上面１１に切欠いた埋設空間１３にクローザ２のケーシングを構成する筐体３が嵌入されて固設されているとともに、下面１２には建物（家屋）側の床面Ｆ上を引き戸の開閉方向（において、開扉方向をα、閉扉方向をβで示す。）に沿って転動するローラＲを設置している。また、この引き戸１が建物（家屋）側の上部枠体Ｗに沿って開閉するときの移動動作をガイドして引き戸１の転倒を防止するため、引き戸１の上部に対向する上部枠体Ｗに、断面略コ字形（図１７（Ｂ）参照）のガイド部材Ｇを固定して設けてある。
【０００６】
クローザ２は、筐体３の上面３１のみが引き戸１の上面１１から外部に臨む状態で埋設空間１３に嵌入させてねじ３０Ｂで引き戸１に固定されており、筐体３の上面３１と引き戸１の上面１１とが略面一状態で設置されている。別な実施形態として、筐体３の上面３１を引き戸１の上側に埋め込み、筐体３の上面３１と引き戸１の上面１１とが面一となるようにしてもよい。面一とすると、引き戸１の上面１１と上部枠体Ｗとの空間を大きく確保することができる。また、クローザ２は、筐体３の上面３１に開口させた開口３Ａから引き出されたワイヤー４の先端部分が、図１８に示すように、建物（家屋）側の上部枠体Ｗの戸当りＴ近傍のガイド部材Ｇの固定ねじで固定されている。
【０００７】
さらに、クローザ２は、筐体３の内部に、前述したワイヤー４と、以下に後述する、ぜんまいユニット５と、ダンパユニット６と、ワイヤー乱れ防止手段７とを備えている。
【０００８】
このうち、ぜんまいユニット５は、図１９に示すように、ぜんまい５１を収容したぜんまい室５２と、ワイヤー４を収納するワイヤー室５３と、引き戸１の閉扉速度を調整する調速手段８とを備えている。ぜんまい５１は、ぜんまい軸５５を中心にして螺旋状に多数回巻装されているとともにその最外巻き部分はぜんまい室５２の内壁に固定されている。ワイヤー４の他端はワイヤープーリ部に固設している。ワイヤー室５３は、ぜんまい室５２の外側に略円環状に形成してあり、ぜんまい室５２との壁（第１の境界壁）５７がワイヤープーリを構成しており、引き戸１が閉止したときには多数のワイヤー４が整列巻きされた状態で巻き取られる。なお、ぜんまい軸５５は、ぜんまいユニット５及び筐体３に対して回転可能な状態で軸支させてあるが、後述の調速手段８の調速軸８１と一体をなしており、調速軸８を所望の位置で固定させることで、ぜんまい軸５５も回転不動の状態に固定される。
【０００９】
調速手段８は、引き戸１を最後まで完全に閉じた閉扉状態のときのぜんまい５１の巻き数を変更して引き戸１の閉扉速度を調整するものであり、ぜんまい室５２の側面と対面（並設）する調速室５４に設け、ワイヤープーリの幅の中にぜんまい室５２と調速室５４を併設して納めることにより薄型化することができた。特に、先行発明では、ぜんまい室５２と調速室５４との境界を構成する一面の壁（第２の境界壁）５６の厚さを、ぜんまい５１のぜんまい軸５５寄りの方が螺旋状のぜんまい５１の外周寄りの方よりも厚くなるように形成してある。これにより、後述する閉扉速度調整のためにロックピン８２を回動させるための「にげ空間」を確保しており、ロックピン８２が受けボチ８３を乗り越えることができる。このようにして、クローザ２の薄型化が図られているので、通常の引き戸１に対しても本実施形態のクローザ２を埋設できる。
【００１０】
先行発明の調速手段８は、ぜんまい５１の回転軸（ぜんまい軸）５５と一体になってぜんまい室５２から第２の境界壁５６を貫通して調速室５４に突出する調速軸８１と、調速軸８１の軸方向に直交する方向（つまり、ぜんまい５１の半径方向）に伸びる、調速室５４内部に設置したロックピン８２と、このロックピン８２を回動させることで、ばね力調整した後のぜんまい５１の巻き状態を固定するために、調速室５４内部の複数個所に設置してロックピン８２を所望の位置で係止させる受けボチ８３とを有する。ロックピン８２には、最低限の強度を確保したうえで、筐体３の薄型化のためにできるだけ細径に形成されている。また、調速軸８１の頭部には、係止溝８２Ａを設けているが、例えば図１８に示すように、ぜんまいユニット５、筐体３及び引き戸１正面のそれぞれロックピン８２と対応する位置に、透孔（図１８では筐体３の透孔３Ｂのみを示す）を穿設しておけば、引き戸１の外部からマイナスのドライバやコインを係止溝８２Ａに係止させて閉扉速度の調整ができる。
【００１１】
ダンパユニット６は、引き戸１が閉じる際にこの閉じ動作に抗したダンパ力をワイヤー４を介して引き戸１に付与するものであり、先行発明では、ワイヤー４の中間部を複数回にわたって巻装するようになっており、薄型円板状の内部空間を有し内部にダンパ（図略）を収納するダンパ６１と、ダンパ６１と（同軸状態で）並設し外周面に沿ってワイヤー４が巻装されるダンパプーリ６２とを備えている。ダンパ６１は、いずれも図示しないが、ダンパ室に充填したダンパオイルと、一方向にのみダンパオイルの油圧抵抗を受けるダンパブレードとを備える。また、ダンパブレードの中心に設けたダンパ軸は、後述するダンパプーリ６２のプーリ軸６３と一体となって延伸し、ダンパユニット６を貫通して筐体３まで達している。換言すれば、このダンパ軸は、軸孔３２にて荷重を受ける片持ち支持構造の状態で、筐体３に回転自在に支持されている。
【００１２】
ダンパプーリ６２は、ダンパ側から発生するダンパ力をワイヤー４に伝達させることでゆっくりとした閉扉動作を実現するために設置されており、先行発明では、前述したように、先端と基端との間の中間部分のワイヤー４を複数回にわたって整列状態で巻装している。また、このダンパプーリ６２のプーリ軸６３は、引き戸１の開扉の際のワイヤー４の引張動作などに伴い、プーリ室６４（又は筐体３）内でダンパプーリ６２が偏心動作を発生したときに、プーリ室６４（又は筐体３）の内壁に衝突せずにダンパプーリ６２の回転を保障するために、筐体３の軸孔３２との間に所定のわずかな隙間（但し、図１９では殆ど確認できない程度の微細な間隔となっている）を設け、ワイヤー４が急激な力を受けた時は、ダンパプーリ６２の端面が筐体３の軸孔３２で支えられ、両端支持の形で滑りながら回転し、荷重を分散することができる。
【００１３】
ワイヤー乱れ防止手段７は、ワイヤー４が所定の通過経路から脱線するのを防止するものであり、引き戸１が閉鎖される方向に戻る際に、仮にワイヤー４が緩んだ状態となっても脱線するのを防止するようになっている。このため、ワイヤー乱れ防止手段７は、それぞれ、ダンパユニット６と筐体３との間、ダンパユニット６とぜんまいユニット５との間、およびぜんまいユニット５と筐体３との間、のワイヤー４の正常な通過経路から脱線するのを防止するために、ダンパユニット６とぜんまいユニット５を互いに近接状態で、かつ、筐体３の内壁面にダンパユニット６とぜんまいユニット５を近接配置することで形成した隙間７Ａ〜７Ｅと、ワイヤー４の正常な通過経路の近傍に設置したストッパ７１〜７３とで構成している。特に、ストッパ７１，７２は、ワイヤー４の正常な通過経路を挟んだ両側で、その経路に近接したところに設置してある。
【００１４】
また、先行発明の筐体３は、埋設空間１３に嵌入する状態で埋設した筐体３を引き戸１の上面にねじ３０Ｂで固定するためのねじ孔３０Ａを設けた固定板３０を一体に備えている。また、この筐体３には、引き戸１を取り外したり吊り込ませたりする際に、引き戸１の上面１１に対向する建物（家屋）側の上部枠体Ｗにクローザ２が衝突するのを防止する保護手段３３を備えている。この保護手段３３は、ゴムなどの弾性部材で略円錐台形状などに形成されており、引き戸１の上面１１から突出するクローザ２のダンパユニット６のダンパプーリ６２よりも高く突出している。
【００１５】
したがって、先行発明によれば、図１９（Ａ）に示すように、ぜんまい室５２と調速室５４との境界を構成する一面の壁５６の厚さを、ぜんまい５１のぜんまい軸５５寄りの方が螺旋状のぜんまい５１の外周寄りの方よりも厚くなるように形成してある。換言すれば、ロックピン８２’（図３）が受けボチ８３を乗り越えることができる状態下で、調速室５４の厚さを最小限に抑えてある。これにより、閉扉速度の調整のために必要なロックピン８２を回動させることができるための「にげ空間」を、必要最小限の厚さで確保できるようになっている。
このように、先行発明によれば、クローザ２の薄型化が図られているので、通常の引き戸１に対しても、特に厚さを増大させずに先行発明のクローザ２を収容して埋設できる。しかも、ロックピン８２を強度の許す範囲内においてできるだけ細径にしてぜんまい室５２内部に設置したので、さらに筐体３の薄型化を図ることができる。
【００１６】
さらに、先行発明によれば、引き戸１の埋設空間１３にクローザ２を埋設することでクローザ２が隠れて外部から見えないようにできる。しかも、引き戸１の上部の建物（家屋）側の上部枠体Ｗとの間の隙間を利用して、上部枠体Ｗとクローザ２との間にワイヤー４を架設しており、上部枠体Ｗの下面に固設したガイド部材Ｇでワイヤー４を隠して見えないようにできるので、見栄えのよいクローザ２を提供できる。
【００１７】
なお、先行発明では、ダンパプーリ６２とワイヤー４の関係を、図１９に示すように、多数回整列巻きさせるように構成したが、例えば図２０に示すように、ダンパプーリ６２に対してワイヤー４を１巻き分だけ係止させるようなＶ溝６２Ａをダンパプーリ６２に形成するような構成のものを用いてもよい。
このようにダンパプーリ６２のＶ字溝６２Ａによってワイヤー４が溝の両側面に当接し、摩擦抵抗が増大するため、ダンパプーリ６２に巻き付ける回数が１回巻（３６０度）にならない小さな角度でもダンパ力がワイヤーＷに確実に伝えられることができる。
したがって、ワイヤー４をダンパユニットの巻胴部の全周に亘って巻きつけていないので、ワイヤー４の寿命を高めることができ、かつワイヤーの長さが短くて済み、更には、複数回巻回する必要がないので、組立てが容易になる。
【発明の開示】
【発明が解決しようとする課題】
【００１８】
以上のように、ドライバーでぜんまい軸を回転させることで閉扉速度を調節することができた。ぜんまいの中心を右回転させるとぜんまいを軸に巻き付けるようになり、ぜんまい力を強めて閉扉速度を速めることとなり、逆にぜんまいの中心を左回転させることでぜんまいを軸から解くようになり、ぜんまい力を弱めて閉扉速度を遅くするようになった。
この調整速度を変えるにはドライバーで軸を回転させることが必要であり、そのためドライバーを差し込むための穴を扉の正面にあけておくことが必要となり、見た目が悪かったばかりか、穴が正面にあり目立つので子供たちのイタズラを誘発し易かった。
本発明はこのような欠点を解決するためになされたもので、扉の正面の目立つ位置に穴をあけなくても調整速度を変えることができるようにした引き戸クローザを提供することを目的としている。したがって、引き戸クローザのワイヤー引き力調整を横側から調整できるようにすることにより、穴に異物を押し込むなどのいたずらが防止でき、また見た目も良くなるといった意匠性の効果も得られる。
【課題を解決するための手段】
【００１９】
上記課題を解決するため、請求項１記載の内蔵タイプ引き戸用クローザの発明は、上面にワイヤー出口を透設されたケースと、前記ケース内に設けられて前記ワイヤー出口近傍の側面に取付けられかつダンパーユニット巻胴部をその支軸に回動可能なように軸着するダンパーユニットと、前記ケース内に設けられて前記ケースの両面に貫通した穴に回転可能なように差し込まれたシャフトにぜんまいユニット巻胴部を回動可能なように軸着するぜんまいユニットと、前記ぜんまいユニット巻胴部にその一方端部を係止しかつ引き戸を全開するに足る長さを前記ぜんまいユニット巻胴部の外周面に沿って巻回しながら前記ダンパーユニット巻胴部の外周上に沿って巻回して、その他方端部を前記ワイヤー出口から導出されるワイヤーと、を具備してなり、前記ダンパーユニットと前記ぜんまいユニットが前記ワイヤーを介して互いに独立して回動可能なように軸支されると共に前記ぜんまいユニットのプーリ幅をワイヤーが１段整列できる幅にして、かつ、ロックピンを前記ぜんまいケースの幅の中に納め、前記ケース側に受けボチを複数箇所設け、常時１ないし複数箇所の受けボチで前記ロックピンを受けるようにした内蔵タイプ引き戸用クローザにおいて、前記ぜんまいプーリの側面に対向させてぜんまいシャフトに一体的に取り付けられた第１平歯車と、前記第１平歯車と噛み合う第２平歯車と、前記第２平歯車に一体的に取り付けられたウォームホイルと、前記ウォームホイルと噛み合うウォーム歯車と、前記ウォーム歯車に一端で嵌合して他端が引き戸の端部まで延び当該他端を回動させることで前記前記ウォーム歯車を回動可能とする長尺部材と、を備えたことを特徴とする。
【００２０】
また、請求項２記載の発明は、請求項１の引き戸用クローザにおいて、前記引き戸にショックアブソーバを取り付け、前記引き戸の閉まり際の数〜数十センチ内で前記ショックアブソーバのピストンロッド先端が引き戸枠側に接触して前記引き戸にダンピング抵抗が発生するようしたことを特徴とする。
【００２１】
また、請求項３記載の発明は、請求項１の引き戸用クローザにおいて、前記引き戸用クローザに内蔵される前記ダンパーユニットのプーリに歯車を配設し、引き戸枠側にラックを配設し、前記引き戸の閉まり際の数〜数十センチ内で前記プーリの歯車が前記ラックと噛み合うことで閉まり際がゆっくりと閉まるようにするとともに、前記ラックの少なくとも噛み合い端部を弾性部材で構成したことを特徴とする。
【００２２】
また、請求項４記載の発明は、請求項３の引き戸用クローザにおいて、前記引き戸用クローザに内蔵される前記ダンパーユニットのプーリに歯車を配設すると共に前記引き戸用クローザにプーリを新設し、引き戸枠側にラックを配設し、前記引き戸の移動幅の長さに亘って前記プーリの歯車が前記ラックと噛み合うようにし、ワイヤーが前記新設プーリを介して引き戸側に固定されていることを特徴とする。
【発明の効果】
【００２３】
以上のように、本発明によれば、引き戸に内蔵するために薄くした引き戸クローザのわずかな空間に回転伝達機能（例えば歯車）を配置し、方向転換して引き戸の横（引き戸の進行方向正面側）から引き戸クローザのワイヤー引き力を調整できるようにしたので、扉の正面に穴をあけていた先行発明と比べて、見た目が良くなるといった意匠性の効果と共に、穴に異物を押し込むなどのいたずらを誘発するおそれがなくなる。
また、ダンパー機能（例えばショックアブソーバ）を内蔵するという工夫を追加したことにより、急閉めした場合の閉まり速度を遅くすることが可能となる。
【発明を実施するための最良の形態】
【００２４】
〈第１の実施形態〉
以下、本発明の第１の実施形態について図面を参照しながら詳細に説明する。
図１は本発明の第１の実施形態に係る引き戸クローザ（以下、「クローザ」と略す）２の側面図（Ａ）と正面図（Ｂ）を示すものである。
図２は図１（Ｂ）のクローザの平面図（Ａ）と背面図（Ｂ）を示すものである。
図３は図２（Ａ）のクローザの上部の固定板を除去した平面拡大図（一部切り欠き図）を示すものである。
図４は図１（Ｂ）のクローザを図の左上方から見た斜視図、図５は図１（Ｂ）のクローザを図の右上方から見た斜視図で、図４および図５の両図において２個の平歯車は外している。図６は図１（Ｂ）のクローザを図の正面下方から見た斜視図、図７は図１（Ｂ）のクローザを図の背面側から見た斜視図である。図１〜図７において、同じ部品には同じ符号を付している。
図１において、先行発明に属する技術については既述したので、ここでは説明を割愛する。
【００２５】
〈第１の実施形態の構成〉
まず、先行発明に付加した本発明の第１の実施形態の構成について箇条書きで説明する。
１）図１において、第１平歯車９１をぜんまいプーリ５８の側面（図１Ａ参照）に対向させてぜんまいシャフト５５（図３）に一体的に取り付けている。
２）第２平歯車９２を第１平歯車９１と噛み合わせている（図１Ｂ、図２Ｂ、図３、図６）。
３）第２平歯車９２の中心にあけられた長孔９２ａをウォームホイル９３の軸９３ａに嵌合させる（図４、図５、図６）。
４）第２平歯車９２の中心にあけられた長孔９２ａをウォームホイル９３の軸９３ａに嵌合させる（図６）。なお、ウォームホイル９３は両端部が筐体３（図３）の両面３Ａ、３Ｂ間に回転可能に取り付けられている。
５）ウォームホイル９３をウォーム歯車９４に噛み合わせている（図２Ｂ）。なお、ウォーム歯車９４はその軸がそれぞれ軸受９４Ａ、９４Ｂ（図５、図６）に支持されている。また、ウォーム歯車９４の軸の一端部９４Ｅは軸受９４Ａ（図６）を貫通しており、端部９４Ｅは外形が断面多角形（六角形）に形成されている。
６）長尺部材（ウォームガイド）９５はその軸方向中心に、断面多角形（図では六角形）の貫通穴９５Ｈ（図４）があけられており、その貫通穴９５Ｈの大きさは、ウォーム歯車９４の端部９４Ｅが隙間なく挿入されうる大きさになっている。そこで、長尺部材９５の一端部９５Ｆ（図２）がウォーム歯車９４の端部９４Ｅ（図２）に嵌合され、他端部９５Ｅ（図２）が軸受９６Ａ（図２）に支持されている。ウォーム歯車９４とウォームガイド９５は断面多角形の穴が貫通した一体の形でもよい。
７）以上の部材、すなわち、第１平歯車９１、第２平歯車９２、ウォームホイル９３、ウォーム歯車９４、長尺部材９５が本発明で追加された主たる構成要素であり、これらがすべて先行発明の筐体３（図２Ｂ）の中に収納されている。
８）本発明ではさらに筐体３の外部にジョイント９６が用いられる（図２Ｂ）。
このジョイント９６は、一端部９６Ｅの外形が断面多角形（図では六角形）に形成され、その大きさはウォームガイド９５の貫通穴９５Ｈ（図４）に隙間なく挿入されうる大きさで、その長さはウォームガイド９５の貫通穴９５Ｈの全長以上となっている。そこで、ジョイント９６の端部９６Ｅがウォームガイド９５の貫通穴９５Ｈに挿入され、かつ、ジョイント９６の他端９６Ｆが支持装置９６Ｇに回転可能に支持されている。ジョイント９６の他端９６Ｆを軸方向外側から見ると、マイナスドライバや六角ソケットレンチで回転できるようにマイナス溝を形成した六角頭が、他端９６Ｆの軸方向直角面に形成されている。
９）支持装置９６Ｇは引き戸１の端部に埋設されている。支持装置９６Ｇにはジョイント９６の他端９６Ｆを回転可能に支持するための穴があけられており、他端９６Ｆがこの穴に回転可能に支持される。その際、ジョイント９６の他端９６Ｆの軸方向直角面が支持装置９６Ｇの穴から顔を覗かせるようになり、そこで、ジョイント９６の他端９６Ｆのマイナス溝を形成した六角頭をマイナスドライバや六角ソケットレンチで回転させると、ジョイント９６が回転する。ジョイント９６はスライド可能であり、筐体３（図２Ｂ）が引き戸１の端部から見て浅い位置にあっても深くても取り付け自由となる。
【００２６】
〈第１の実施形態の動作〉
つぎに、第１実施の形態に係る構成の動作について箇条書きで説明する。
１）引き戸１の他端に顔を覗かせているジョイント他端９６Ｆのマイナス溝を形成した六角頭をマイナスドライバや六角ソケットレンチで回転させると、ジョイント９６が回転する。
２）ジョイント９６が回転すると、これと嵌合しているウォームガイド９５が同じく回転する。
３）ウォームガイド９５が回転するとウォーム歯車９４が同じく回転する。
４）ウォーム歯車９４が回転するとウォームホイル９３が微回転する。
５）ウォームホイル９３が微回転すると第２平歯車９２が同じく微回転する。
６）第２平歯車９２が微回転すると第１平歯車９１が同じく微回転する。
７）第１平歯車９１が微回転するとぜんまい軸５５（図１９Ａ）も同じく微回転する。したがって、ぜんまい軸５５と一体の調速軸８１（図１９Ａ）も同じく微回転する。
８）調速軸８１が微回転すると調速軸８１を貫通しているロックピン８２（図１９Ｂ）も微回転する。
９）ロックピン８２が微回転するとロックピン８２は先行発明に従って受けボチ８３を乗り越えて、ぜんまい５１（図１）が締め付けられていく（ジョイント９６を逆回転させれば、ぜんまい５１は弛む。）。
１０）ロックピン８２の回転が止まると、ロックピン８２は直近の受けボチ８３（図７、図１９）で係止される。これによって引き戸１の戻りのばね力が調整される。
【００２７】
〈第１の実施形態の効果〉
以上のように、第１実施の形態によれば、引き戸クローザ１のワイヤー引き力調整を引き戸１の横側から調整できるようになるので、引き戸１の正面に穴をあけずに済むためその穴に異物を押し込むなどのいたずらが防止できる。
また、引き戸１の正面に穴がないので見た目も良くなるといった意匠性の効果も得られる。
【００２８】
〈第２の実施形態〉
次に、本発明の第２の実施形態について説明する。
〈第１の実施形態と比べた第２の実施形態の長所〉
第１の実施形態の引き戸クローザによれば、（ａ）引き戸クローザ１のワイヤー引き力調整を引き戸１の横側から調整できるようにするので、引き戸１の正面に穴をあけずに済むためその穴に異物を押し込むなどのいたずらが防止できる。
（ｂ）また、引き戸１の正面に穴がないので見た目も良くなるといった意匠性の効果も得られる。（ｃ）その他、先行発明の持つ効果（引き戸１が閉じる際にダンパユニット６により閉扉速度が制限される。）も当然ながら備えている。
第１の実施形態に係る引き戸クローザの場合、引き戸から手を離したら引き戸はゆっくりした速度で自動的に閉まるのだが、逆に手で引き戸を強く引いて強制閉めようとすると、ダンパユニット６からワイヤー４が弛んでしまうのでダンパーが効かなくなり、したがって引き戸は減速せずに引き戸枠Ｔ側に衝突することとなり、衝突時の高音が騒音となったり、引き戸と引き戸枠との衝突で両者の耐久性が劣化する恐れがあった。
そこでこれを回避するには、閉扉時のスピードの減速機能を持った製品を別途引き戸に直接取り付けることが考えられるが、クローザの他にさらに別製品を引き戸に取り付けることは面倒なことである。
第２の実施形態はこれらの課題を克服するためになされたもので、閉扉時のスピードの減速機能を持った製品を別途引き戸に取り付ける必要のない引き戸クローザを提供することを目的としている。
【００２９】
〈第２の実施形態の構成〉
図８は本発明の第２の実施形態に係る引き戸クローザを示す図で、平面図（Ａ）と正面図（Ｂ）で、引き戸が閉扉途中の状態を示し、図９は図８（Ｂ）の状態から引き戸が閉扉した状態を示している正面図である。
図８の引き戸クローザが第１の実施形態（図１〜図７）の引き戸クローザと異なる点は、ショックアブソーバ９８を備えている点である。ショックアブソーバー９８はオイルを満たした筒にピストンロッドを入れ、ピストンロッドの端部にピストンを付け、ストロークする際にこのピストンがオイル中を通過するとき粘性抵抗を受けて減衰力を発生させるものである。
【００３０】
〈ショックアブソーバの取り付け位置〉
引き戸クローザ２の閉扉方向の前方側面にショックアブソーバ９８を取り付けている。そして、引き戸１が閉まり際の数〜数十センチｔ１にまで接近したときショックアブソーバ９８のピストンロッド９８Ｐが引き戸枠Ｔに接触する位置に引き戸クローザ２を引き戸１の中に取り付けている。
【００３１】
〈第２の実施形態の動作〉
つぎに、第２の実施形態に係る構成の動作について説明する。
〈ピストンロッド９８Ｐが引き戸枠Ｔに接触する迄〉
引き戸１があけられた後、手で強制的に閉められると、ダンパプーリ６２からワイヤー４が弛んでしまうのでダンパーが効かなくなり、手の勢いにより引き戸１は引き戸枠Ｔに向かって加速し始める。図８では、ショックアブソーバ９８のピストンロッド９８Ｐが引き戸枠Ｔからまだ距離ｔ１だけ離れているので、ショックアブソーバ９８は働いていない。したがって、手の勢いにより引き戸１は引き戸枠Ｔに向かって加速し続ける。
〈ピストンロッド９８Ｐが引き戸枠Ｔに接触した後〉
図９で示すように、ピストンロッド９８Ｐが引き戸枠Ｔに接触すると、ピストンロッド９８Ｐが引き戸枠Ｔに押されてショックアブソーバ９８の筒内に押し込まれそうになるが、ピストンロッド９８Ｐの反対端部にあるピストンが粘性抵抗を受けるのでショックアブソーバ９８が働らき、速い閉扉速度で閉められてきた引き戸１はこの瞬間から減速する。したがって引き戸１は最終的に十分に減速された速度で引き戸枠Ｔ側と静かに接触することとなる。
図９はこのようにして引き戸１が減速されて引き戸枠Ｔ側と静かに接触した状態を示している。
【００３２】
〈第２の実施形態の効果〉
以上のように、第２実施の形態によれば、強制閉めに対する減衰機能（ショックアブソーバ）を引き戸クローザ自体につけているので、別の機能を持った製品を使用しないで引き戸クローザだけで強制閉めに対応できるようになる。
【００３３】
〈第２の実施形態の変形例〉
次に、本発明の第２の実施形態の変形例について説明する。
〈変形例の長所〉
第２の実施形態の引き戸クローザによれば、強制閉めに対する減衰機能（ショックアブソーバ９８）を引き戸クローザ自体につけているので、別の機能を持った製品を使用しないで引き戸クローザだけで強制閉めに対応できるのであるが、ショックアブソーバ９８の取り付け位置が引き戸クローザ２の閉扉方向の前方側面であったので、引き戸１をあけたときに、ショックアブソーバ９８のピストンロッド９８Ｐが人目につき意匠的に良くないこと、目立つ位置にあるのでいたずらされ易い懸念があったこと、引き戸クローザの引き戸での内蔵位置がショックアブソーバ９８のピストンロッド９８Ｐのストロークで決められてしまうので、引き戸クローザの内蔵位置の設計自由度がなかったこと。などである。
第２の実施形態の変形例はこれらの欠点を解決するためになされたもので、変形例によれば、ピストンロッド９８Ｐを人目のつかない位置に配設することで意匠的効果が得られ、かついたずらされ難くなり、しかも設計の自由度がきくようになる。
【００３４】
〈変形例の構成〉
図１０は本発明の第２の実施形態の変形例に係る引き戸クローザを示す図で、平面図（Ａ）と正面図（Ｂ）で、引き戸が閉しつつある途中の状態を示している。図１１は図１０（Ｂ）の状態から引き戸が閉した状態を示している正面図である。図８の引き戸クローザが図１０の引き戸クローザと異なる点は、図８の引き戸クローザはショックアブソーバ９８を側面に取り付けているのに対して、図１０の引き戸クローザ２はショックアブソーバ９８を上面に取り付けている点である。そしてこの場合、ショックアブソーバ９８のピストンロッド９８Ｐが当接するのは引き戸枠Ｔではなくて、建物側の上部枠体Ｗ（図１７）の任意の位置に取り付けられるストッパＳｔである。引き戸１を減速させたい位置に引き戸１が来たとき、引き戸１に取り付けられたショックアブソーバ９８のピストンロッド９８ＰがストッパＳｔに当接するようにストッパＳｔの設置位置が決められている。
【００３５】
〈変形例の動作〉
つぎに、第２の実施形態に係る構成の変形例の動作について説明する。
１．〈ピストンロッド９８ＰがストッパＳｔに接触する迄〉
引き戸１があけられた後、手で強制的に閉められると、ダンパプーリ６２からワイヤー４が弛んでしまうのでダンパーが効かなくなり、手で勢いよく引き戸１を閉めると引き戸枠Ｔに向かって高速で閉扉し始める。図１０では、ショックアブソーバ９８のピストンロッド９８ＰがストッパＳｔからまだ距離ｔ１だけ離れているので、ショックアブソーバ９８は働いていない。したがって、手の勢いにより引き戸１は引き戸枠Ｔに向かって高速で閉扉し続ける。
２．〈ピストンロッド９８ＰがストッパＳｔに接触した後〉
図１１で示すように、ピストンロッド９８ＰがストッパＳｔに接触すると、ピストンロッド９８ＰがストッパＳｔに押されてショックアブソーバ９８の筒内に押し込まれそうになるのでピストンロッド９８Ｐの反対端部のピストンが粘性抵抗を受けてショックアブソーバ９８が働らき始める。手の勢いで速い速度で閉められてきた引き戸１はこの瞬間から減速し、引き戸１は最終的に十分に減速された速度で引き戸枠Ｔ側と静かに接触することとなる。
図１１はこのようにして引き戸１が減速されて引き戸枠Ｔ側と静かに接触した状態を示している。
【００３６】
〈変形例の効果〉
以上のように、第２実施の形態の変形例によれば、強制閉めに対する減衰機能（ショックアブソーバ）を引き戸クローザ自体につけているので、別の機能を持った製品を使用しないで引き戸クローザだけで強制閉めに対応できるようになるという第２の実施形態の効果の他に、ピストンロッド９８Ｐを人目のつかない位置に配設しているので意匠的効果があり、かつ、いたずらされ難くなる。しかも引き戸クローザの取り付け位置の設計の自由度がきくようになる。
【００３７】
〈第３の実施形態〉
次に、本発明の第３の実施形態について説明する。
〈第２の実施形態と比べた第３の実施形態の長所〉
第２の実施形態の引き戸クローザによれば、引き戸クローザに強制閉めに対する減衰機能（ショックアブソーバ）を取り付ける作業が必要となり、既存の作業工程に新たな工程が加わることになった。
第３の実施形態によれば、既存の作業工程に新たな工程を加えることなく引き戸クローザに強制閉めに対する減衰機能を持たせることのできる引き戸クローザを提供することを目的としている。
【００３８】
〈第３の実施形態の構成〉
図１２は本発明の第３の実施形態に係る引き戸クローザを示す図で、平面図（Ａ）と正面図（Ｂ）である。
図１２において、ダンパ６１と同軸状態で並設されてその外周に形成された溝に沿ってワイヤー４が巻装されているダンパプーリ６２’は、第３の実施形態によれば、円周方向に歯車を配設されている。そして、このダンパプーリ６２’の歯車と噛み合うラック９９を引き戸枠側に配設している。このようにすることで、引き戸１の閉まり際の数〜数十センチ内でダンパプーリ６２’の歯車がラック９９と噛み合うようにしたのが特徴である。
【００３９】
〈第３の実施形態の動作〉
引き戸１が手で強制的に閉められているため引き戸１の速度が速くなっていても、閉まり際まで接近すると、ダンパプーリ６２’の歯車がラック９９と噛み合うようになる。それまで高速で閉まっていてもダンパプーリ６２’の歯車がラック９９と噛み合うことでダンパ６１の機能によりダンパプーリ６２’の回転がゆっくりと回転するようになり、したがって引き戸１はゆっくり閉まるようになる。
【００４０】
〈第３の実施形態の効果〉
以上のように、第３実施の形態によれば、これまでの引き戸クローザの組み立て工程において、これまでのダンパプーリ６２に代えて周囲に歯車を配設したダンパプーリ６２’を組み込むだけであるので、強制閉めに対する減衰機能を引き戸クローザに持たせるために新しい工程が加わることはなくなる。
【００４１】
〈第３の実施形態の変形例〉
次に、本発明の第３の実施形態の変形例について説明する。
図１３は第３の実施形態の変形例を示すラック９９の一部断面の正面図である。図１２のラック９９は全体を硬質材料（例えば、プラスチック、金属）で作っていたが、それだとダンパプーリ６２’の歯車の位置がワイヤー４によって規制されているため、ラック９９と噛み合うときのかみ合い端部で両者の山と谷が正確に噛み合うことが必要で、そのようになるためにダンパプーリ６２’とラック９９の正確な位置決めが要求されていた。
しかしながら引き戸の単純な設置作業にあたって、ダンパプーリ６２’とラック９９との正確な位置決めを要求することは設置業者にとって過酷な要求でもあり、しかも開閉時のダンパプーリとワイヤーの滑りにより位置は変わるので確実な位置決めはできなかった。
第３の実施形態の変形例は、このような図１２のラック９９の欠点を解決するためになされたもので、ダンパプーリ６２’とラック９９との正確な位置決めを必要としないラックを提供することを目的としている考え出されたもので、ダンパプーリ６２’がラック９９と噛み合うときの少なくともかみ合い端部９９Ａを弾性部材（例えば、ゴム）で構成したのが特徴である。
噛み合い端部９９Ａを弾性部材としたので、ダンパプーリ６２’の山がラック９９の谷に噛み合うときに若干の位置決め誤差があっても、噛み合い端部９９Ａの弾性部材が誤差を吸収してダンパプーリ６２’の山を受け入れることとなるため、スムーズな噛み合いが行われることとなる。
なお、反対方向はダンパがフリー（一方向性）のため噛み合わないことはない。
図１３では、ラック９９’は、かみ合い端部９９Ａを弾性部材で構成するようにしているが、もちろんラック９９’の全体を弾性部材で構成するようにしてしもよい。
【００４２】
〈第４の実施形態〉
次に、本発明の第４の実施形態について図１４に基づいて説明する。
〈第４の実施形態の構成〉
第４の実施形態のクローザ２’が第３の実施形態のクローザ２と異なる部分は、（ａ）ワイヤー４がダンパプーリ６２’を介さず、アイドラープーリ（負荷のない中間プーリ）６６を介して引き戸側に固定されていること、（ｂ）ダンパプーリ６２’の歯車は単独で存在し、常時枠側のラック９９にかみ合ってること、（ｃ）ラック９９はほぼ引き戸の移動幅の長さに亘っていること、である。
ダンパーはもちろん一方向性（開くときは負荷がなく、閉まる時のみ負荷を与えゆっくり閉まる）のものを使用している。
【００４３】
〈第４の実施形態の動作および効果〉
引き戸１が手で強制的に閉められているため引き戸１の速度が速くなっていても常にダンパプーリ６２’の歯車がラック９９と噛み合っているため、常にダンパ６１の機能が働きダンパプーリ６２’の回転がゆっくりと回転するようになり、したがって引き戸１はゆっくり閉まる。
第４の実施形態の効果は、（ａ）ワイヤー４はダンパプーリ６２’を介していないので引き戸１を急に強制的に戻してもたるまない。
（ｂ）ダンパーユニットは開ける場合は一方向性で閉まる時はゆっくりと閉まるため、強制閉めした場合でも始めからダンパーが利いているので、引き戸が早く閉まることがない。といったことである。
【図面の簡単な説明】
【００４４】
【図１】本発明の第１の実施形態に係る引き戸クローザの側面図（Ａ）と正面図（Ｂ）を示すものである。
【図２】図１（Ｂ）のクローザの平面図（Ａ）と背面図（Ｂ）を示すものである。
【図３】図２（Ａ）のクローザの上部の固定板３０を除去した平面拡大図（一部切り欠き図）を示すものである。
【図４】図１（Ｂ）のクローザを図の左上方から見た斜視図である。
【図５】図１（Ｂ）のクローザを図の右上方から見た斜視図である。
【図６】図１（Ｂ）のクローザを図の正面下方から見た斜視図である。
【図７】図１（Ｂ）のクローザを図の背面側から見た斜視図である。
【図８】本発明の第２の実施形態に係る引き戸クローザを示す図で、平面図（Ａ）と正面図（Ｂ）で、引き戸が閉しつつある途中の状態を示している。
【図９】図８（Ｂ）の状態から引き戸が閉した状態を示している正面図である。
【図１０】本発明の第２の実施形態の変形例に係る引き戸クローザを示す図で、平面図（Ａ）と正面図（Ｂ）で、引き戸が閉しつつある途中の状態を示している。
【図１１】図１０（Ｂ）の状態から引き戸が閉した状態を示している正面図である。
【図１２】本発明の第３の実施形態に係る引き戸クローザを示す図で、平面図（Ａ）と正面図（Ｂ）である。
【図１３】は第３の実施形態の変形例を示すラック９９の一部断面の正面図である。
【図１４】は本発明の第４の実施形態に係る引き戸クローザを示す図で、平面図（Ａ）と正面図（Ｂ）を示している。
【図１５】従来の引き戸クローザの構成を示す説明図である。
【図１６】（Ａ）は従来の他の引き戸クローザの構成を示す斜視図、（Ｂ）はその断面図である。
【図１７】（Ａ）は先行発明の第１の実施形態に係る引き戸クローザを取付けた引き戸を示す正面図、（Ｂ）は側面図、（Ｃ）は引き戸を開いた状態を示す正面図である。
【図１８】図１７に示す第１の実施形態のクローザとワイヤーの設置状態を示す説明図である。
【図１９】（Ａ）は先行発明の第１の実施形態に係る引き戸クローザを示す平面図、（Ｂ）は正面図である。
【図２０】先行発明の第１の実施形態に係る引き戸クローザの変形例を示す平面図である。
【符号の説明】
【００４５】
１  引き戸
１１  上面
１２  下面
１３  埋設空間
１５  ロック空間
２、２’  引き戸クローザ
３  筐体
３０  固定板
３１  筐体の上面
３２  軸孔
３３  保護手段
３４  ロック手段
４  ワイヤー
５  ぜんまいユニット
５１  ぜんまい
５２  ぜんまい室
５３  ワイヤー室
５４  調速室
５５  ぜんまい軸
５６  第２の境界壁
５７  第１の境界壁
５８  ぜんまいプーリ
６  ダンパユニット
６１  ダンパ
６２、６２’  ダンパプーリ
６２Ａ  Ｖ溝
６３  プーリ軸
６４  プーリ室
６６  アイドラープーリ（負荷のない中間プーリ）
７  ワイヤー乱れ防止手段
７Ａ〜７Ｅ  隙間
７１〜７３  ストッパ
８  調速手段
８１  調速軸
８２  ロックピン
８３  係止部材
９  調整手段
９１  第１平歯車
９２  第２平歯車
９３  ウォームホイル
９４  ウォーム歯車
９５  長尺部材（ウォームガイド）
９６  軸受
９８  ショックアブソーバ
９９、９９’  ラック
Ｒ  ローラ
Ｔ  （建物側の）戸当り
Ｗ  （建物側の）上部枠体
α  開扉方向
β  閉扉方向
【図１】
2010013856.tif 000003
【図２】
2010013856.tif 000004
【図３】
2010013856.tif 000005
【図４】
2010013856.tif 000006
【図５】
2010013856.tif 000007
【図６】
2010013856.tif 000008
【図７】
2010013856.tif 000009
【図８】
2010013856.tif 000010
【図９】
2010013856.tif 000011
【図１０】
2010013856.tif 000012
【図１１】
2010013856.tif 000013
【図１２】
2010013856.tif 000014
【図１３】
2010013856.tif 000015
【図１４】
2010013856.tif 000016
【図１５】
2010013856.tif 000017
【図１６】
2010013856.tif 000018
【図１７】
2010013856.tif 000019
【図１８】
2010013856.tif 000020
【図１９】
2010013856.tif 000021
【図２０】
2010013856.tif 000022